(57)【特許請求の範囲】
【請求項１】
エレベータのかご室と、
前記かご室が着床するエレベータの乗場と、
前記乗場の床面の一方側に表示された乗場側車椅子利用者用優先エリアと、
前記乗場側車椅子利用者用優先エリアと同一側となるように前記かご室の床面の一方側に表示されたかご室側車椅子利用者用優先エリアと、
前記乗場側車椅子利用者用優先エリアの乗場壁に設けられた車椅子利用者用かご呼びボタンと、
前記かご室側車椅子利用者用優先エリアのかご室の側面壁に設けられた車椅子利用者用かご操作盤と、
を備えたことを特徴とするエレベータ装置。
【請求項２】
エレベータのかご室と、
前記かご室が着床するエレベータの乗場と、
前記乗場の床面の一方側に表示された乗場側車椅子利用者用優先エリアと、
前記乗場側車椅子利用者用優先エリアと同一側となるように前記かご室の床面の一方側に表示されたかご室側車椅子利用者用優先エリアと、
前記乗場側車椅子利用者用優先エリアの乗場壁に設けられた車椅子利用者用かご呼びボタンと、
前記乗場側車椅子利用者用優先エリアと反対側の乗場壁に設けられた健常者者用かご呼びボタンと、
前記かご室側車椅子利用者用優先エリアのかご室の側面壁に設けられた車椅子利用者用かご操作盤と、
前記かご室側車椅子利用者用優先エリアと反対側のかご室の側面壁に設けられた健常者用かご操作盤と、
を備えたことを特徴とするエレベータ装置。
【請求項３】
乗場側車椅子利用者用優先エリアの乗場壁に設けられた車椅子利用者用かご呼びボタンの近傍に、車椅子利用者案内手段を設けたことを特徴とする請求項１又は請求項２記載のエレベータ装置。
【請求項４】
車椅子利用者用かご呼びボタンは、乗場壁からせり出すように所定の高さ位置に設けられた車椅子利用者用かご呼びボタン取付台に設けたことを特徴とする請求項１〜請求項３のいずれかに記載のエレベータ装置。
【請求項５】
乗場の車椅子利用者用かご呼びボタンが押された場合、かご室がその階に到着する少し前に、かご室内に車椅子利用者の搭乗があることや注意を促すアナウンスを行うことを特徴とする請求項１〜請求項４のいずれかに記載のエレベータ装置。
【請求項６】
かご室内の車椅子利用者用かご操作盤に設けられた車椅子利用者用行先登録ボタンが押された場合、指定された階の乗場に対して、かご室が到着する少し前に、車椅子利用者の退出があることや注意を促すアナウンスを行うことを特徴とする請求項１〜請求項４のいずれかに記載のエレベータ装置。
【請求項７】
かご室側車椅子利用者用優先エリアのかご室の側面壁と奥壁との間にＬ字状となるように車椅子利用者用手摺を設けたことを特徴とする請求項１〜請求項６のいずれかに記載のエレベータ装置。
【請求項８】
エレベータのかご室は、乗場側の袖壁を完全に無くすことにより出入口を大きくし、一方、乗場の袖壁は、乗場ドア部から離れる方向に行くに従い広くなるようにに斜めに面取りしたことを特徴とする請求項１〜請求項７のいずれかに記載のエレベータ装置。
【請求項９】
乗場の車椅子利用者用かご呼びボタンの近傍に車椅子利用者検出器を設け、かご室の車椅子利用者用かご操作盤の近傍に車椅子利用者検出器を設け、前記車椅子利用者検出器が検知した状態でボタン操作された時にのみ、アナウンスが流れるようにしたことを特徴とする請求項５又は請求項６記載のエレベータ装置。
【請求項１０】
車椅子利用者検知器を乗場ドア部及びかごドア部に近い位置にも設置しておき、車椅子利用者の通過を検知して、車椅子利用者が搭乗できたり、退出できてからドアを閉めるように時間調整することを特徴とする請求項１〜請求項４のいずれかに記載のエレベータ装置。
【請求項１１】
車椅子利用者検知器を乗場ドア部及びかごドア部に近い位置にも設置しておき、車椅子利用者の搭乗が浅い位置の時は、中へ進むようにアナウンスを流すことを特徴とする請求項９記載のエレベータ装置。
【発明の詳細な説明】
【技術分野】
【０００１】
この発明は、車椅子利用者と健常者が兼用するエレベータ装置に関するものである。
【背景技術】
【０００２】
従来のエレベータ装置においては、行先階登録ボタンと戸開ボタンを車椅子及び通常の利用者の両者にとってそれぞれ最も操作のし易いかご室の壁に各々配置設置することを目的として、車椅子利用者用には行先階登録ボタンをかご室のかご側面壁に設置し、乗降り多人数となる乗降利用者用にはかご室のかご室袖壁に戸開ボタンを設置し、それぞれのボタンを操作目的にかなった最適なかご室の位置に別々に配置したものが知られている(例えば、特許文献1参照)。
【０００３】
【特許文献１】特開２００２−１４５５６３号公報
【発明の開示】
【発明が解決しようとする課題】
【０００４】
従来のエレベータ装置では、下記のような問題点があった。
エレベータかご室袖壁がドア部に両側から張り出して搭乗口が狭い為、車椅子利用者が搭乗待ちの人と同時に搭乗するときは衝突の危険があった。また、進入方向は中央部から搭乗してかご室壁際に向かい大きく方向転換をしなければならず、先に乗客がいる場合は接触の可能性がある。
車椅子利用者が搭乗する時にかご室内の左右どちらの側に押しボタンがあるか分からない為、かご室内の押しボタンが無い側に行った際は行先階の指定ができないことがあり心理的にも利用しにくかった。また、搭乗待ちの時は無制限に健常者と一緒に待つことは接触の可能性が増えることになる。
【０００５】
この発明は上記のような課題を解決するためになされたもので、乗場及びかご室に車椅子利用者の優先エリアを設け、車椅子利用者用の乗場かご呼びボタン及びかご室内行先登録ボタンを優先エリア内に設けることにより、車椅子利用者が安全に通行でき、かつ安心して利用できるエレベータ装置を提供するものである。
【課題を解決するための手段】
【０００６】
この発明に係るエレベータ装置においては、エレベータのかご室と、かご室が着床するエレベータの乗場と、乗場の床面の一方側に表示された乗場側車椅子利用者用優先エリアと、乗場側車椅子利用者用優先エリアと同一側となるようにかご室の床面の一方側に表示されたかご室側車椅子利用者用優先エリアと、乗場側車椅子利用者用優先エリアの乗場壁に設けられた車椅子利用者用かご呼びボタンと、かご室側車椅子利用者用優先エリアのかご室の側面壁に設けられた車椅子利用者用かご操作盤とを備えたものである。
【０００７】
また、乗場側車椅子利用者用優先エリアと反対側の乗場壁に設けられた健常者者用かご呼びボタンと、かご室側車椅子利用者用優先エリアと反対側のかご室の側面壁に設けられた健常者用かご操作盤を更に備えたものである。
【０００８】
また、エレベータのかご室は、乗場側の袖壁を完全に無くすことにより出入口を大きくし、一方、乗場の袖壁は、乗場ドア部から離れる方向に行くに従い広くなるようにに斜めに面取りしたものである。
【発明の効果】
【０００９】
この発明によれば、次の効果を奏する。
エレベータかごの出入口を最大に広くしたので乗客の出入りが素早く容易にできる。
乗場の車椅子利用者用かご呼びボタンは乗場壁面から突出させて設置しているので、ボタン押し時に車椅子が接近しても乗場壁に衝突すること無く安全に利用できる。
車椅子利用者の搭乗がスムースになるので他の乗客と接触して転倒するようなトラブルを無くすことができる。
車椅子利用者は優先エリアから乗り込むと必然的にかご室内に設置している車椅子利用者用の押しボタンの有る箇所に行くので確実に行先指定が出来て安心して利用できる。
乗客が多い時でもかご室内での車椅子利用者と健常者の乗り別けが自然と出来るので、車椅子利用者も安心して利用できる。
車椅子利用者はドアから少し離れた位置で搭乗待ちをすることになるので、急いで出てくる乗客と衝突することを防止できる。
かご室袖壁によって出来ていた死角が無くなる為、搭乗前に中の様子が容易に確認でき防犯効果も出て安心して利用できる。
車椅子利用者が利用する際には、かご室内及び、所定の乗場において、前もってアナウンスがされているので安心して利用できる。
車椅子利用者用の押しボタンを健常者が悪戯で押しても、ドア閉り時間は不要に長くならないようにする。また、不要なアナウンスがなされることもなく適正な昇降運転をすることができる。
【発明を実施するための最良の形態】
【００１０】
実施の形態１.
図１はこの発明の実施の形態１におけるエレベータ装置をかご室内から乗場側を見た正面図、図２はかご室内に設置された健常者用操作盤を示す正面図、図３はかご室内に設置された車椅子利用者用操作盤を示す正面図、図４は図１のＡ−Ａ線に沿った断面図、図５はこの発明の実施の形態１におけるエレベータ装置を乗場側から見た正面図、図６は乗場に設置された車椅子用かご呼びボタンの取り付け状態を示す拡大正面図、図７はかごドアが開き始めた状態を示す図１相当図、図８は図７のＢ−Ｂ線に沿った断面図、図９はかごドアが戸開完了した状態を示す図１相当図、図１０は図９のＣ−Ｃ線に沿った断面図、図１１は車椅子利用者が搭乗途中の状態を示す図１相当図、図１２は図１１のＤ−Ｄ線に沿った断面図、図１３は車椅子利用者が搭乗途中でかご室内行先登録ボタンを押している状態を示す図１相当図、図１４は図１３のＥ−Ｅ線に沿った断面図、図１５は車椅子利用者が搭乗完了した状態を示す図１相当図、図１６は図１５のＦ−Ｆ線に沿った断面図、図１７はかごドアが閉り始めかつ車椅子利用者が方向転換して横向きの状態を示す図１相当図、図１８は図１７のＧ−Ｇ線に沿った断面図、図１９はかごドアが戸閉完了しかつ車椅子利用者が方向転換を完了した状態を示す図１相当図、図２０は図１９のＨ−Ｈ線に沿った断面図である。
【００１１】
図において、１はエレベータのかご室で、乗場側の左右袖壁を完全に無くすことにより出入口を大きくしている。２のかご室１の出入口に設けられたかごドアで、２枚戸中央開きである。３はエレベータの乗場壁、４は乗場出入口に設けられた乗場ドアで、２枚戸中央開きである。５はかご室１の側面壁、６はかご室１の一方の側面壁５と奥壁との間にＬ字状となるように設けられた車椅子利用者用手摺、７はかご室１の他方の側面壁５に設けられた健常者用かご操作盤、８は健常者用かご操作盤７に設けられた健常者用行先登録ボタン、９は健常者用かご操作盤７に設けられた健常者用戸開・戸閉ボタン、１０はかご室１の一方の側面壁５に設けられた車椅子利用者用かご操作盤、１１は車椅子利用者用かご操作盤１０に設けられた車椅子利用者用行先登録ボタン、１２は車椅子利用者用かご操作盤１０に設けられた車椅子利用者用戸開・戸閉ボタン、１３は乗場壁３の他方側（健常者エリア側）に設けられた健常者用かご呼びボタン、１４は乗場壁３の一方側（車椅子利用者優先エリア側）に設けられた車椅子利用者用かご呼びボタン、１５は乗場壁３の一方側（車椅子利用者優先エリア側）の表面からせり出すように突して設けられた車椅子利用者用かご呼びボタン取付台で、その正面に車椅子利用者用かご呼びボタン１４が設けられている。１６は車椅子利用者用かご呼びボタン取付台１５に設けられた車椅子利用者用案内図、１７は乗場床面の一方側に表示された乗場側車椅子利用者優先エリアで、例えばエリア内を緑色、オレンジ色等に着色している。１８は乗場側車椅子利用者優先エリア１７と同一側となるようにかご室１の床面の一方側に表示されたかご室側車椅子利用者優先エリアで、例えばエリア内を緑色、オレンジ色等に着色している。１９は乗場側車椅子利用者優先エリア１７内に設けた車椅子停止位置を表す停止線である。
【００１２】
車椅子利用者はエレベータを利用する為に乗場付近に近づき、乗場壁３からせり出すように設けられた車椅子利用者用かご呼びボタン取付台１５の上に取り付けている車椅子利用者用案内図１６により乗場側車椅子利用者用優先エリア１７内に入り、停止線１９の付近で停止してかご室１の到着を待つ。乗場側車椅子利用者用優先エリア１７は車椅子利用者が乗場ドア４に向かい侵入しやすいように方向性を与え、尚且つ良好な見栄えと必要最小限のエリアとする為に円弧状の曲線に囲まれて、周囲と異なった着色（例えば、緑色、オレンジ色等）がなされた床面とする。
【００１３】
車椅子利用者は乗場壁３からせり出すようにして所定の高さ位置に設けられた車椅子利用者用かご呼びボタン取付台１５の上にある車椅子利用者用かご呼びボタン１４を操作してかご室１の到着を待つ。この時のボタン押し位置は乗場側車椅子利用者用優先エリア１７内に表示している停止位置付近にあり、かご室１から乗客の退出が有った場合でも十分に乗場ドア４から離れた位置にあり、衝突の危険が無い位置としている。尚、車椅子利用者用かご呼びボタン取付台１５は車椅子利用者の停止位置を乗場ドア４から安全上必要な距離を取る為に乗場壁３からせり出ているが、取付高さは車椅子の車輪に手を置いた時の位置よりも十分高い位置に設置し、車椅子利用者が乗場壁３に沿って進行して来ても接触しない位置としている（図４、５参照）。
【００１４】
また、車椅子利用者が乗場で車椅子利用者用かご呼びボタン１４を押すことにより、かご室１が呼ばれた階に到着する少し前に、かご室１内に車椅子利用者の搭乗があることをアナウンスしてかご室側車椅子利用者用優先エリア１８を空けるように協力の呼びかけを行なう。また、同様に、健常者が退出時に車椅子利用者と衝突しないように注意を促すアナウンスを行なう。
【００１５】
かご室１が到着して乗場ドア４及びかごドア２が開き、車椅子利用者が乗場壁３の袖壁の傾斜部分、すなわち、乗場ドア部から離れる方向に行くに従い広くなるように斜めに面取りされた部分に沿って緩やかに大きなカーブを描きながらかご室１に侵入することができる。この時、先に健常者が乗り合わせていてもかご室１の袖壁が無いので間口が最大に広く車椅子利用者は接触すること無く安全に容易に搭乗することができる（図１２参照）。
【００１６】
車椅子利用者が搭乗する進行方向のかご室１の側面壁５に車椅子利用者用かご操作盤１０が設置してあるので、押しボタンがかご室１の何処にあるか探すこと無く必然的に操作盤の傍に到着して車椅子利用者用行先登録ボタン１１を操作して行先階を指定することができる。又、車椅子利用者用かご操作盤１０をかご室１の奥の方に設置しているので、搭乗時に車椅子利用者用行先登録ボタン１１を操作することもできるが（図１４参照）、車椅子利用者は退場時に備えて方向変換し出口を向いてからでも車椅子利用者用行先登録ボタン１１の操作は可能である（図２０参照）。車椅子利用者用行先登録ボタン１１側にかご室側車椅子利用者用優先エリア１８を設けると共に、車椅子利用者用手摺６をＬ字型形状に配置して車椅子利用者が方向転換する際に容易に手摺を掴むことができて、スペースが確保された状態で方向転換が容易に行なえる（図１８参照）。
【００１７】
また、車椅子利用者が車椅子利用者用行先登録ボタン１１を押すことにより指定された階の乗場において、かご室１が到着する少し前に車椅子利用者の退出があることをアナウンスして乗場側車椅子利用者用優先エリア１７を空けるように協力の呼びかけを行なう。また、同様に、健常者が搭乗時に車椅子利用者と衝突しないように注意を促すアナウンスを行なう。
【００１８】
実施の形態２．
上記実施の形態１では、かごドア２及び乗場ドア４を２枚戸中央開きとしてかご室１の袖壁を無くした構造としているが、４枚戸中央開き、２枚戸片開きとしても良く、このような構成によっても同様の動作を行わせることができることは言うまでもない。
【００１９】
実施の形態３．
上記実施の形態１では、車椅子利用者が乗場で車椅子利用者用かご呼びボタン１４を押すことにより、かご室１にアナウンスが流れるようにしたが、図４に示すように、乗場の車椅子利用者用押しボタン部に第１の車椅子利用者検出器２０を設けて、ＩＣカードを車椅子利用者が保持又は、車椅子に取り付けておき、第１の車椅子利用者検出器２０で検知した状態で押しボタンを押した時にのみ上記実施の形態１におけるアナウンスがかご室１内に流れるようにする。同様に、かご室内の車椅子利用者用押しボタン部にも第２の車椅子利用者検出器２１を設けて、車椅子利用者を検知した状態で押しボタンが押された時にのみ上記実施の形態１におけるアナウンスが指定された乗場部に流れるようにする。
【００２０】
実施の形態４．
上記実施の形態３では、車椅子利用者を検知する車椅子利用者検出器２０、２１を乗場の車椅子利用者用押しボタン部及び、かご室内の車椅子利用者用押しボタン部に設置していたが、図４に示すように、乗場ドア４に近い乗場壁３にも第３の車椅子利用者検出器２２を設置し、かごドア２に近いかご室１の側面壁にも第４の車椅子利用者検出器２３を設置する。例えば車椅子利用者がかご室１に搭乗する際では、車椅子利用者を第３の車椅子利用者検出器２２で検知し、次に第４の車椅子利用者検出器２３で順に検知することで車椅子利用者が確実に搭乗したことを確認し、その後に乗場ドア４、かごドア２を閉める様にドア閉め時間調整をする。同様に、車椅子利用者がかご室１から退出する際では、車椅子利用者を第４の車椅子利用者検出器２３で検知し、次に第３の車椅子利用者検出器２２で順に検知することで車椅子利用者が確実に退出したことを確認し、その後に乗場ドア４、かごドア２を閉める様にドア閉め時間調整をする。
【００２１】
実施の形態５．
上記実施の形態４では、車椅子利用者が第３の車椅子利用者検出器２２、第４の車椅子利用者検出器２３部を通過する際に検知することでドア閉り時間の調節を行なうようにしていたが、さらに第２の車椅子検出器２１と組合せて、例えば車椅子利用者がかご室１に搭乗する際では、第２の車椅子検出器２１でも検知しなければかご室１への搭乗が浅く、かごドア２に車椅子利用者が接触する可能性があるので、中へ進むようにアナウンスをかご室１内へ流すようにする。
【図面の簡単な説明】
【００２２】
【図１】この発明の実施の形態１におけるエレベータ装置をかご室内から乗場側を見た正面図である。
【図２】この発明の実施の形態１におけるエレベータ装置のかご室内に設置された健常者用操作盤を示す正面図である。
【図３】この発明の実施の形態１におけるエレベータ装置のかご室内に設置された車椅子利用者用操作盤を示す正面図である。
【図４】図１のＡ−Ａ線に沿った断面図である。
【図５】この発明の実施の形態１におけるエレベータ装置を乗場側から見た正面図である。
【図６】この発明の実施の形態１におけるエレベータ装置の乗場に設置された車椅子用かご呼びボタンの取り付け状態を示す拡大正面図である。
【図７】かごドアが開き始めた状態を示す図１相当図である。
【図８】図７のＢ−Ｂ線に沿った断面図である。
【図９】かごドアが戸開完了した状態を示す図１相当図である。
【図１０】図９のＣ−Ｃ線に沿った断面図である。
【図１１】車椅子利用者が搭乗途中の状態を示す図１相当図である。
【図１２】図１１のＤ−Ｄ線に沿った断面図である。
【図１３】車椅子利用者が搭乗途中でかご室内行先登録ボタンを押している状態を示す図１相当図である。
【図１４】図１３のＥ−Ｅ線に沿った断面図である。
【図１５】車椅子利用者が搭乗完了した状態を示す図１相当図である。
【図１６】図１５のＦ−Ｆ線に沿った断面図である。
【図１７】かごドアが閉り始めかつ車椅子利用者が方向転換して横向きの状態を示す図１相当図である。
【図１８】図１７のＧ−Ｇ線に沿った断面図である。
【図１９】かごドアが戸閉完了しかつ車椅子利用者が方向転換を完了した状態を示す図１相当図である。
【図２０】図１９のＨ−Ｈ線に沿った断面図である。
【符号の説明】
【００２３】
１  かご室
２  かごドア
３  乗場壁
４  乗場ドア
５  かご室側面壁
６  車椅子利用者用手摺
７  健常者用かご操作盤
８  健常者用行先登録ボタン
９  健常者用戸開・戸閉ボタン
１０  車椅子利用者用かご操作盤
１１  車椅子利用者用行先登録ボタン
１２  車椅子利用者用戸開・戸閉ボタン
１３  健常者用かご呼びボタン
１４  車椅子利用者用かご呼びボタン
１５  車椅子利用者用かご呼びボタン取付台
１６  車椅子利用者案内図
１７  乗場側車椅子利用者優先エリア
１８  かご室側車椅子利用者優先エリア
１９  停止線
２０  第１の車椅子利用者検出器
２１  第２の車椅子利用者検出器
２２  第３の車椅子利用者検出器
２３  第４の車椅子利用者検出器
【図１】
0004811112.tif 000002
【図２】
0004811112.tif 000003
【図３】
0004811112.tif 000004
【図４】
0004811112.tif 000005
【図５】
0004811112.tif 000006
【図６】
0004811112.tif 000007
【図７】
0004811112.tif 000008
【図８】
0004811112.tif 000009
【図９】
0004811112.tif 000010
【図１０】
0004811112.tif 000011
【図１１】
0004811112.tif 000012
【図１２】
0004811112.tif 000013
【図１３】
0004811112.tif 000014
【図１４】
0004811112.tif 000015
【図１５】
0004811112.tif 000016
【図１６】
0004811112.tif 000017
【図１７】
0004811112.tif 000018
【図１８】
0004811112.tif 000019
【図１９】
0004811112.tif 000020
【図２０】
0004811112.tif 000021